(57)【要約】本発明は、特に、複数のＨ場を発生させることにより、深部Ｅ場発生を相加的に組み合わせかつ制御し、臨床的に容認可能な集中型加熱をもたらすための装置およびシステムと、臨床的に容認可能な集中型加熱をもたらすための装置およびシステムを使用して、対象において局所領域的温熱療法を誘発するための方法とを提供する。本明細書に開示される方法、システム、および装置は、例えば、癌を患う対象等、温熱療法治療を必要とする対象に改良された温熱療法治療を提供する。
2021509618.tif 000002
【特許請求の範囲】
【請求項１】
複数のＨ場を発生させることにより、深部Ｅ場発生を相加的に組み合わせかつ制御し、臨床的に容認可能な集中型加熱をもたらすためのシステムであって、
ａ）対象を収容するために十分な寸法の基部と、
ｂ）１つまたは複数のセクタであって、
ｉ．各セクタは、少なくとも一対のコイルを備え、前記対の各コイルは、他のコイルに略平行であり、他のコイルに面し、前記対の各コイルは、ある距離だけ分離され、
ｉｉ．前記対の各コイルは、所定の設計で配列され、
ｉｉｉ．各コイルの幅は、各コイル対間の分離距離に等しい、または前記分離距離を上回る、
１つまたは複数のセクタと、
ｃ）前記比吸収率（ＳＡＲ）パターンを所望される方向に移動させるために、対の各コイル上に印加されるＲＦの振幅を制御する１つまたは複数の無線周波数（ＲＦ）発生器と
を備える、システム。
【請求項２】
前記所定の設計は、蝶の形状に構成される、請求項１に記載のシステム。
【請求項３】
前記蝶の一方の半分は、他方の半分と重複される、請求項２に記載のシステム。
【請求項４】
前記蝶の一方の半分は、前記他方の半分と５０％重複され、それによって、前記コイルの長さは、各コイル対間の前記分離距離の１．５倍に等しい、請求項２に記載のシステム。
【請求項５】
一対の各コイルは、２つの個々のコイルを含む、請求項１に記載のシステム。
【請求項６】
スイッチをさらに備える、請求項１に記載のシステム。
【請求項７】
前記スイッチは、別個のタイムスライスの中で前記セクタおよび振幅を選択するソリッドステートスイッチである、請求項６に記載のシステム。
【請求項８】
処置監視、調節、および報告のための磁気共鳴サーモグラフィ撮像（ＭＲＴＩ）装置をさらに備える、請求項１に記載のシステム。
【請求項９】
各セクタはさらに、各コイルの前記長さに沿って設置された１つまたは複数の直列の同調コンデンサを備える、請求項１に記載のシステム。
【請求項１０】
前記基部およびコイル対は、異なる対象サイズおよび治療用途に適合するように可変である、請求項１に記載のシステム。
【請求項１１】
空冷装置をさらに備える、請求項１に記載のシステム。
【請求項１２】
前記印加されるＲＦは、１３．５６ＭＨｚ、２７．１ＭＨｚ、または４０．６８ＭＨｚから選択される、請求項１に記載のシステム。
【請求項１３】
局所領域的温熱療法を必要とする対象において局所領域的温熱療法を誘発するための方法であって、
ａ）複数のＨ場を発生させることにより、深部Ｅ場発生を相加的に組み合わせかつ制御するための装置を提供することであって、前記装置は、
（Ｉ）前記対象を収容するための、基部と、
（ＩＩ）１つまたは複数のセクタであって、
ｉ．各セクタは、少なくとも一対のコイルを備え、前記対の各コイルは、前記他のコイルに略平行であり、他のコイルに面し、前記対の各コイルは、ある距離だけ分離され、
ｉｉ．前記対の各コイルは、所定の設計で配列され、
ｉｉｉ．各コイルの幅は、各コイル対間の分離距離に等しい、または前記分離距離を上回る、
１つまたは複数のセクタと、
（ＩＩＩ）比吸収率（ＳＡＲ）パターンを所望される方向に移動させるために、前記対の各コイル上に印加されるＲＦの振幅を制御する１つまたは複数の無線周波数（ＲＦ）発生器と
を備える、ことと、
ｂ）前記対象のサイズおよび所望される加熱深度に基づいて、各セクタ内のコイルのサイズおよび前記基部のサイズを調節することと、
ｃ）前記基部上に前記対象を設置することと、
ｄ）複数のＨ場を発生させることにより、前記対象における前記所望される深度において標的化された加熱を生じさせることと
を含む、方法。
【請求項１４】
前記対象は、哺乳類である、請求項１３に記載の方法。
【請求項１５】
前記哺乳類は、ヒトと、家畜動物と、農業用動物とから成る群から選択される、請求項１４に記載の方法。
【請求項１６】
前記対象は、ヒトである、請求項１３に記載の方法。
【請求項１７】
前記所望される加熱深度は、１０ｃｍを上回る、請求項１３に記載の方法。
【請求項１８】
前記印加されるＲＦは、１３．５６ＭＨｚ、２７．１ＭＨｚ、または４０．６８ＭＨｚから選択される、請求項１３に記載の方法。
【請求項１９】
複数のＨ場を発生させることにより、深部Ｅ場発生を相加的に組み合わせかつ制御し、臨床的に容認可能な集中型加熱をもたらすためのシステムであって、
ａ）置換可能な基部と、
ｂ）１つまたは複数のセクタであって、
ｉ．各セクタは、少なくとも一対のコイルを備え、前記対の各コイルは、前記他のコイルに略平行であり、他のコイルに面し、前記対の各コイルは、ある距離だけ分離され、
ｉｉ．前記対の各コイルは、所定の設計で配列され、
ｉｉｉ．各コイルの幅は、各コイル対間の分離距離に等しい、または前記分離距離を上回り、
ｉｖ．各コイルの長さは、各コイル対間の分離距離の１．５倍に等しい、または前記分離距離の１．５倍を上回る、
１つまたは複数のセクタと、
ｃ）比吸収率（ＳＡＲ）パターンを所望される方向に移動させるために、前記対の各コイル上に印加されるＲＦの振幅を制御する１つまたは複数の無線周波数（ＲＦ）発生器と、
ｄ）ソリッドステートスイッチと、
ｅ）空冷装置と、随意に、
ｆ）ＭＲＴＩ装置と
を備える、システム。
【請求項２０】
前記印加されるＲＦは、１３．５６ＭＨｚ、２７．１ＭＨｚ、または４０．６８ＭＨｚから選択される、請求項１９に記載のシステム。
【請求項２１】
実質的に図１から図５Ｂに開示されるような装置。
【請求項２２】
実質的に図５Ａに開示されるようなシステム。
【発明の詳細な説明】
【技術分野】
【０００１】
（関連出願への相互参照）
本願は、２０１８年１月８日に出願された米国仮特許出願第６２／６１４，９９３号の利益を主張し、その出願は、その全体が参照によって本明細書に援用される。
【０００２】
（発明の分野）
本発明は、複数の磁場が、作成され、それらの間でＥ場を相加的に組み合わせるように、誘導結合されたコイル対を使用することによって深部集中型加熱を伴う局所領域的温熱療法を誘発することに関する。本発明は、誘導結合されたシステムが、組織の誘電率に関係なくＥ場を標的化し、筋肉組織の主として表面の加熱の発生を回避することを可能にする。本発明は、広帯域ＲＦ発生器も位相制御アンテナも要求しない、単純かつコスト効率的な設計の使用を可能にする。
【背景技術】
【０００３】
標的化深部温熱療法は、癌処置、腫瘍アブレーション、および他の疾患の処置等の療法用途に関して公知である（Ａｎｄｅｒｓｏｎらの米国特許出願公開第２０１８００１５２９４  Ａ１号）。誘導結合された（Ｈ場）アンテナに基づいたＲＦ温熱療法のためのシステムが、主に、放射されたＥ場または結合されたＥ場を用いて加熱する他のシステムに優る利点を可能にする。関連する組織全ての透磁性は、１に近く、そのため、Ｈ場の場パターンを予測することは、非常に正確であることが公知である。加熱のためのＥ場を発生させる配向および方法に起因して、脂肪組織内の優先的加熱が、適切に設計された誘導結合されたシステムを用いて回避されることができる。
【０００４】
Ｈ場を用いた現行の加熱方法は、深く、すなわち、１０ｃｍを上回る、体格の大きい患者における所望される臨床的深度まで加熱するための能力を欠いている。本発明は、上記に識別されるこれらの課題に対処するためのシステムおよび方法に関する。
【先行技術文献】
【特許文献】
【０００５】
【特許文献１】米国特許出願公開第２０１８００１５２９４号明細書
【発明の概要】
【課題を解決するための手段】
【０００６】
本発明は、誘導結合されたシステムにおいて標的化加熱を生じさせることが、些細なものではないことを実証した。誘導結合されたシステムの適合を含む、本分野における従来のシステムは、結果として生じるＥ場の場所を制御するために使用される方法が、利用可能および／または使用されていないため、１０ｃｍを上回る、臨床的に意義のある深度において加熱することに失敗してきた。腹部の仮想ヒトモデルの周囲の他の誘導システムのシミュレーションでは、表面平形コイル、円周方向コイル巻線、およびヘルムホルツベースの円周方向のコイル対を利用するシステムは、Ｅ場発生パターンが、常時、骨格および腹部筋肉における大きいエネルギー堆積によって制限されるため、深部における容認可能な加熱を発生させることができなかった。本発明は、複数のＨ場を使用することにより、（主に、渦電流の発生を通して）相加的Ｅ場を生じさせ、これは、位相制御等の方法によってシステムの複雑性またはコストを増大させることなく、低周波数において臨床的に意義のある加熱を達成することができる。特に、本設計は、ヒトまたは大型動物の関連のある幾何学形状における位相制御アンテナに良好に応答しない、１３．５６ＭＨｚ、２７．１ＭＨｚ、および４０．６８ＭＨｚの産業用、科学用、ならびに医療用の空き周波数における、意義のある深部加熱を可能にする。加えて、本システムは、ＭＲＩ対応かつ透過的であり、磁気共鳴サーモグラフィ撮像等の技法を利用するための同時動作を可能にする。
【０００７】
本発明の一実施形態では、複数のＨ場を発生させることにより、深部Ｅ場発生を相加的に組み合わせかつ制御し、臨床的に容認可能な集中型加熱をもたらすためのシステムが、提供される。本システムは、
ａ）対象を収容するために十分な寸法の基部と、
ｂ）１つまたは複数のセクタであって、
ｉ．各セクタは、少なくとも一対のコイルを備え、対の各コイルは、他のコイルに略平行であり、他のコイルに面し、対の各コイルは、ある距離だけ分離され、
ｉｉ．対の各コイルは、所定の設計で配列され、
ｉｉｉ．各コイルの幅は、各コイル対間の分離距離に等しい、または分離距離を上回る、
１つまたは複数のセクタと、
ｃ）比吸収率（ＳＡＲ）パターンを所望される方向に移動させるために、対の各コイル上に印加されるＲＦの振幅を制御する１つまたは複数の無線周波数（ＲＦ）発生器と
を備える。
【０００８】
本発明の別の実施形態では、局所領域的温熱療法を必要とする対象において局所領域的温熱療法を誘発するための方法が、提供される。本方法は、
ａ）複数のＨ場を発生させることにより、深部Ｅ場発生を相加的に組み合わせかつ制御するための装置を提供することであって、装置は、
（Ｉ）対象を収容するための基部と、
（ＩＩ）１つまたは複数のセクタであって、
ｉ．各セクタは、少なくとも一対のコイルを備え、対の各コイルは、他のコイルに略平行であり、他のコイルに面し、対の各コイルは、ある距離だけ分離され、
ｉｉ．対の各コイルは、所定の設計で配列され、
ｉｉｉ．各コイルの幅は、各コイル対間の分離距離に等しい、または分離距離を上回る、
１つまたは複数のセクタと、
（ＩＩＩ）比吸収率（ＳＡＲ）パターンを所望される方向に移動させるために、対の各コイル上に印加されるＲＦの振幅を制御する１つまたは複数の無線周波数（ＲＦ）発生器と
を備える、ことと、
ｂ）対象のサイズおよび所望される加熱深度に基づいて、各セクタ内のコイルサイズおよび基部のサイズを調節することと、
ｃ）基部上に対象を設置することと、
ｄ）複数のＨ場を発生させることにより、対象における所望される深度において標的化された加熱を生じさせることと
を含む。
【０００９】
本発明の付加的な実施形態では、複数のＨ場を発生させることにより、深部Ｅ場発生を相加的に組み合わせかつ制御し、臨床的に容認可能な集中型加熱をもたらすためのシステムが、提供される。本システムは、
ａ）置換可能な基部と、
ｂ）１つまたは複数のセクタであって、
ｉ．各セクタは、少なくとも一対のコイルを備え、対の各コイルは、他のコイルに略平行であり、他のコイルに面し、対の各コイルは、ある距離だけ分離され、
ｉｉ．対の各コイルは、所定の設計で配列され、
ｉｉｉ．各コイルの幅は、各コイル対間の分離距離に等しい、または分離距離を上回り、
ｉｖ．各コイルの長さは、各コイル対間の分離距離の１．５倍に等しい、または分離距離の１．５倍を上回る、
１つまたは複数のセクタと、
ｃ）比吸収率（ＳＡＲ）パターンを所望される方向に移動させるために、対の各コイル上に印加されるＲＦの振幅を制御する１つまたは複数の無線周波数（ＲＦ）発生器と、
ｄ）ソリッドステートスイッチと、
ｅ）空冷装置と、随意に、
ｆ）ＭＲＴＩ装置と
を備える。
【図面の簡単な説明】
【００１０】
本特許または出願申請書は、カラーで作成された少なくとも１つの図面を含有する。カラー図面を伴う本特許または特許出願公開文書の複写物は、要求および必要な手数料の支払に応じて、特許庁によって提供されるであろう。
【００１１】
【図１】図１は、２つのＨ場が、（隠された軸において）反対の位相で発生させられるように配列される単一のコイルを示す。コイルは、いかなる点においても給電され得るが、実践的には、左側または右側の最長縁のうちの一方上で給電され得る。本電磁気設計はまた、各電流回転方向に１つずつ、かつ緊密に重ねられた、２つのコイルを用いて遂行される。
【００１２】
【図２】図２は、例えば、間に２０ｃｍの筋肉組織が、設置されている、（２０）（例えば、２５ｃｍ）の距離だけ分離される、図１からの一対のコイル（１０ａおよび１０ｂ）を含有する、セクタ（１）を示すモデル描写である。示されるように、各コイルの幅（３０ａ、３０ｂ）は、各コイル対（１０ａ、１０ｂ）間の分離距離（２０）に等しい。
【００１３】
【図３】図３は、コイル対によって発生された、２つの反対の位相のＨ場を示す、ＥＭ−ＦＤＴＤソフトウェアを用いて解明された、結果として生じるＨ場プロット（対称的スライス）である。
【００１４】
【図４】図４は、発生させられた渦電流、特に、コイル対による、中心における相加的領域を示す、ＥＭ−ＦＤＴＤソフトウェアを用いて解明された、結果として生じるＥ場プロット（対称的スライス）である。
【００１５】
【図５Ａ】図５Ａは、システムが、デジタル制御信号（青色）を利用することにより、電力供給し（黒色）、別個のタイムスライスおよび振幅において、二重Ｈ場誘電結合コイル対の３つのセクタの選択を切り替えるために、ソリッドステートスイッチおよび１つまたは複数のＲＦ発生器にコマンドすることを示す、概略図である。
【００１６】
【図５Ｂ】図５Ｂは、本発明の例示的システムの略画である。本システムは、異なる対象の解剖学的構造に従うように、異なるサイズのＲＦ（図示せず）およびＭＲＩコイル（図示せず）の「アプリケータ」（３０）と入替可能である、ＭＲＩ対応ソリッドステートスイッチ（図示せず）およびＲＦトラップ（図示せず）とを含有する「基部」（１０）を利用する。また、示されるものは、交換可能な発泡体パッド（図６Ｄ参照、水色で示される）を通して拡散されるべき、加圧空気を用いた対象の冷却および快適性のための溝（２０）である。
【００１７】
【図６Ａ】図６Ａ−６Ｄは、空冷装置の構成を示す。
【図６Ｂ】図６Ａ−６Ｄは、空冷装置の構成を示す。
【図６Ｃ】図６Ａ−６Ｄは、空冷装置の構成を示す。
【図６Ｄ】図６Ａ−６Ｄは、空冷装置の構成を示す。
【００１８】
【図７Ａ】図７Ａは、システム設定を示す概略図である。
【００１９】
【図７Ｂ】図７Ｂは、無線周波数（ＲＦ）発生器を示す。
【００２０】
【図７Ｃ】図７Ｃは、蝶コイルの配列、およびヒト組織をシミュレートするための豚挽肉を含有する箱を示す。
【００２１】
【図８】図８は、温度プローブ設置のための軸を示す。
【００２２】
【図９】図９は、１インチ深度試験の結果を示す。
【００２３】
【図１０】図１０は、４インチ深度試験の結果を示す。
【００２４】
【図１１】図１１は、中心線試験の結果を示す。
【発明を実施するための形態】
【００２５】
（発明の詳細な説明）
本発明は、複数のＨ場を発生させることにより、深部Ｅ場発生を相加的に組み合わせかつ制御し、臨床的に容認可能な集中型加熱をもたらすためのシステムと、それを使用して、対象において局所領域的温熱療法を誘発するための方法とを開示する。
【００２６】
本発明の一実施形態は、複数のＨ場を発生させることにより、深部Ｅ場発生を相加的に組み合わせかつ制御し、臨床的に容認可能な集中型加熱をもたらすためのシステムである。本システムは、
ａ）対象を収容するために十分な寸法の基部と、
ｂ）１つまたは複数のセクタであって、
ｉ．各セクタは、少なくとも一対のコイルを備え、対の各コイルは、他のコイルに略平行であり、他のコイルに面し、対の各コイルは、ある距離だけ分離され、
ｉｉ．対の各コイルは、所定の設計で配列され、
ｉｉｉ．各コイルの幅は、各コイル対間の分離距離に等しい、または分離距離を上回る、
１つまたは複数のセクタと、
ｃ）比吸収率（ＳＡＲ）パターンを所望される方向に移動させるために、対の各コイル上に印加されるＲＦの振幅を制御する１つまたは複数の無線周波数（ＲＦ）発生器と
を備える。
【００２７】
本明細書で使用される場合、「比吸収率」または「ＳＡＲ」は、エネルギーが、無線周波数（ＲＦ）電磁場に暴露されたときに人体によって吸収される率の測度を指す。これはまた、超音波を含む、組織によるエネルギーの他の形態の吸収を指し得る。これは、組織の質量あたり吸収される電力として定義され、キログラム毎ワット（Ｗ／ｋｇ）の単位を有する。２０Ｗ／ｋｇを上回るＳＡＲは、臨床的に意義があると見なされる。
【００２８】
いくつかの実施形態では、所定の設計は、実質的に図１および図２に示されるように、「蝶」の形状で構成される。「蝶」の構成が、本明細書に描写され、説明されているが、所望される深部加熱効果が取得される限り、コイル対は、他の形状で構成され得る。「蝶」構成に関して、ある実施形態では、蝶の一方の半分は、他方の半分と重複される。ある実施形態では、蝶の一方の半分は、他方の半分と５０％重複され、それによって、コイルの長さは、コイル対間の分離距離の１．５倍に等しい。ある実施形態では、各単一のコイルは、２つの個々のコイルを含み、２つの個々のコイルは、例えば、２つのコイルとして製造され、それぞれ、０°および１８０°において電力供給され、同一の機能を達成する。
【００２９】
いくつかの実施形態では、本システムはさらに、２０１７年７月１８日に出願された、Ａｎｄｅｒｓｏｎらの第ＵＳＳＮ１５／６５３，４６２号（参照によって本明細書に援用される）において以前に説明されたスイッチング装置を備える。そのようなスイッチング装置を組み込むことによって、本発明は、１〜１０個、または好ましくは、１個、２個、３個、もしくは４個のＲＦ発生器等の１つまたは複数のＲＦ発生器と、スイッチングネットワークとを含有し、コイルの対を制御し、深部における選択的加熱を生じさせる、非常にコスト効率的かつ競争力のあるシステムを可能にする。ある実施形態では、スイッチング装置は、不慮のホットスポット生成を回避しながら所望される領域を加熱するために、別個のタイムスライスにおいてセクタおよび振幅を選択するソリッドステートスイッチを備える。
【００３０】
いくつかの実施形態では、本システムはさらに、治療監視、調節、および報告のための磁気共鳴サーモグラフィ撮像（ＭＲＴＩ）システムを備える。
【００３１】
いくつかの実施形態では、各セクタはさらに、場の均質性を向上させ、放射されるＥ場の大きさを低減させ、調整を改良するために、１つまたは複数のコイルの長さに沿って設置される、１つまたは複数の直列の同調コンデンサを備える。
【００３２】
いくつかの実施形態では、異なるサイズの対象を処置する、または構成要素コストを最小限にしながら付加的な療法的治療選択肢を提供するために、基部のサイズは、調節可能／置換可能であり、かつ、コイルのサイズは、調節可能／置換可能である。
【００３３】
いくつかの実施形態では、本システムはさらに、手技全体を通して対象の快適性を最大限にするために、例えば、基部内の膜を通した空冷装置を備える。例示的空冷装置は、例えば、０．５以下の充填密度と、対象を支持するために十分な弾性率とを伴う、連続気泡化された、拡散空冷発泡体であることができる。空冷装置は、これが、ＭＲＩ室において最小限の空間を占め、したがって、通常のＭＲＩワークフローに最小限の影響を及ぼすため、ＲＦ温熱療法において重要である。空気が、外側から中に取り込まれ、２インチの導波路を通過する。空気の主要な経路は、以下のとおりである。すなわち、空気が、対象の冷却（濃青色）と、電気構成要素の冷却（水色）（図６Ａ）とに分割され、これは、ガスケットおよびＯリング（図６Ｂ、黒色で示される）を介して、デバイスのヒンジにおいてシールされ、空気は、Ｂｅｒｋｅｌｅｙ  ｃｏｍｆｏｒｔモデル（ｈｔｔｐｓ：／／ｗｗｗ．ｃｂｅ．ｂｅｒｋｅｌｅｙ．ｅｄｕ／ｒｅｓｅａｒｃｈ／ｂｒｉｅｆｓ−ｔｈｅｒｍｍｏｄｅｌ．ｈｔｍを参照）を使用して「涼」感覚を提供するために適切な空気速度になるように設計され、空気は、次いで、溝の中に送出され（図６Ｃ）、これは、使い捨て可能な挿入発泡体パッドを通して拡散される（図６Ｄ、水色で示される）。
【００３４】
本発明の別の実施形態は、局所領域的温熱療法を必要とする対象において局所領域的温熱療法を誘発するための方法である。本方法は、
ａ）複数のＨ場を発生させることにより、深部Ｅ場発生を相加的に組み合わせかつ制御するための装置を提供することであって、装置は、
（Ｉ）対象を収容するための基部と、
（ＩＩ）１つまたは複数のセクタであって、
ｉ．各セクタは、少なくとも一対のコイルを備え、対の各コイルは、他のコイルに略平行であり、他のコイルに面し、対の各コイルは、ある距離だけ分離され、
ｉｉ．対の各コイルは、所定の設計で配列され、
ｉｉｉ．各コイルの幅は、各コイル対間の分離距離に等しい、または分離距離を上回る、
１つまたは複数のセクタと、
（ＩＩＩ）比吸収率（ＳＡＲ）パターンを所望される方向に移動させるために、対の各コイル上に印加されるＲＦの振幅を制御する１つまたは複数の無線周波数（ＲＦ）発生器と
を備える、ことと、
ｂ）対象のサイズおよび所望される加熱深度に基づいて、各セクタ内のコイルサイズおよび基部のサイズを調節することと、
ｃ）基部上に対象を設置することと、
ｄ）複数のＨ場を発生させることにより、対象における所望される深度において標的化された加熱を生じさせることと
を含む。
【００３５】
本明細書で使用される場合、「対象」は、哺乳類、好ましくは、ヒトである。ヒトに加えて、本発明の範囲内の哺乳類のカテゴリは、例えば、農業用動物、家畜動物、実験動物等を含む。農業用動物のいくつかの例は、ウシ、ブタ、ウマ、ヤギ等を含む。家畜動物のいくつかの例は、イヌ、ネコ等を含む。実験動物のいくつかの例は、霊長目動物、ラット、ハツカネズミ、ウサギ、モルモット等を含む。
【００３６】
いくつかの実施形態では、所望される加熱深度は、２ｃｍを上回る、５ｃｍを上回る、１０ｃｍを上回る、１５ｃｍを上回る、２０ｃｍを上回る、２５ｃｍを上回る、３０ｃｍを上回る、３５ｃｍを上回る、４０ｃｍを上回る、４５ｃｍを上回る、または５０ｃｍを上回る。ある実施形態では、所望される加熱深度は、約５５ｃｍである。
【００３７】
本発明のさらに別の実施形態は、複数のＨ場を発生させることにより、深部Ｅ場発生を相加的に組み合わせかつ制御し、臨床的に容認可能な集中型加熱をもたらすためのシステムである。本システムは、
ａ）置換可能な基部と、
ｂ）１つまたは複数のセクタであって、
ｉ．各セクタは、少なくとも一対のコイルを備え、対の各コイルは、他のコイルに略平行であり、他のコイルに面し、対の各コイルは、ある距離だけ分離され、
ｉｉ．対の各コイルは、所定の設計で配列され、
ｉｉｉ．各コイルの幅は、各コイル対間の分離距離に等しい、または分離距離を上回り、
ｉｖ．各コイルの長さは、各コイル対間の分離距離の１．５倍に等しい、または分離距離の１．５倍を上回る、
１つまたは複数のセクタと、
ｃ）比吸収率（ＳＡＲ）パターンを所望される方向に移動させるために、対の各コイル上に印加されるＲＦの振幅を制御する１つまたは複数の無線周波数（ＲＦ）発生器と、
ｄ）ソリッドステートスイッチと、
ｅ）空冷装置と、随意に、
ｆ）ＭＲＴＩ装置と
を備える。
【００３８】
いくつかの実施形態では、本明細書に開示されるシステムおよび方法において印加される無線周波数（ＲＦ）は、１３．５６ＭＨｚ、２７．１ＭＨｚ、または４０．６８ＭＨｚから選択されることができる。
【００３９】
本発明の別の実施形態は、実質的に図１から図５Ｂに開示されるような装置である。
【００４０】
本発明の別の実施形態は、実質的に図５Ａに開示されるようなシステムである。
【実施例】
【００４１】
本発明はさらに、以下の実施例によって例証され、これは、例証の目的のために提供され、本発明をいかようにも限定することを意図されるものではない。当業者は、本質的に同一の結果をもたらすように変更または修正され得る、種々の重要ではないパラメータを容易に認識するであろう。
【００４２】
（実施例１）
システム設定および結果
システムを、図７Ａに示されるように接続した。コイルを、１８０度に位相係止された２つの無線周波数発生器によって電力供給した（図７Ｂ）。各発生器は、インラインでコイルに接続される整合ネットワークを有していた。２つの蝶コイルを、肉箱の上部および底部に取り付けた（図７Ｃ）。ヒト組織をシミュレートするために、箱を、１００ポンドの豚挽肉（脂肪含有量約１０〜１５％）で充填した。発生器毎の電力メータを、ＳＷＲおよび電力測定のためのネットワークを整合させた後に、接続した。
【００４３】
温度点の設置を制御するために、プローブを、深部導入器を使用して設置さした。電磁場の影響を受けない、光ファイバ温度システムを用いて温度を測定した。プローブ設置点のための軸が、図８に示されている。各正の軸が、示されている。試験毎に、プローブ位置を、示される軸を使用して保存した。
【００４４】
試験結果を記録し、これは、図９（１インチ深度試験）、図１０（４インチ深度試験）、および図１１（中心線試験）に示された。実際の温度結果は、熱的シミュレーションと良好に一致した。
【００４５】
上記に引用される特許、特許出願、および公開文書は全て、本明細書に完全に記載されたかのように、参照によってそれらの全体として本明細書に援用される。
【００４６】
本発明は、上記のように説明されるが、それが、多くの方法において変動され得ることが、明らかである。そのような変形例は、本発明の精神および範囲からの逸脱として見なされるものではなく、そのような修正は全て、以下の請求項の範囲内に含まれると意図される。
【図１】
2021509618.tif 000003
【図２】
2021509618.tif 000004
【図３】
2021509618.tif 000005
【図４】
2021509618.tif 000006
【図５Ａ】
2021509618.tif 000007
【図５Ｂ】
2021509618.tif 000008
【図６Ａ】
2021509618.tif 000009
【図６Ｂ】
2021509618.tif 000010
【図６Ｃ】
2021509618.tif 000011
【図６Ｄ】
2021509618.tif 000012
【図７Ａ】
2021509618.tif 000013
【図７Ｂ】
2021509618.tif 000014
【図７Ｃ】
2021509618.tif 000015
【図８】
2021509618.tif 000016
【図９】
2021509618.tif 000017
【図１０】
2021509618.tif 000018
【図１１】
2021509618.tif 000019
【国際調査報告】
2021509618.tif 000020
2021509618.tif 000021